Podtech/llm-jp-corpus-v4-ja_patent huggingface dataset:
(57)【要約】【課題】  ツイスターゲームや絵双六などの遊戯用の絵柄をプリントし すべり止めをほどこしたレジャーシートを提供する。【解決手段】  レジャーシートにツイスターゲームや絵双六などの遊戯用の絵柄をプリントし 表面にすべり止めをほどこした。【選択図】  図１
0003109048.tif 000002
【実用新案登録請求の範囲】
【請求項１】
ツイスターゲームーや絵双六などの 遊戯をする目的の絵柄をプリントしたレジャーシート。
【請求項２】
表 裏 両面に 請求項１をほどこしたレジャーシート。
【請求項３】
表面にすべり止め効果をほどこした 請求項１及び請求項２のレジャーシート
【請求項４】
すべりにくいポリビニール類（polyvinyl chloride ）を材料に使用した 請求項１及び請求項２のレジャーシート 
【考案の詳細な説明】
【技術分野】
【０００１】
本考案は レジャーシートの改良に関する。
【背景技術】
【０００２】
従来のレジャーシートは単色か あるいは見た目に美しい絵柄がプリントされている。
【考案の開示】
【考案が解決しようとする課題】
【０００３】
従来のレジャーシートは 屋外の行楽時に各自の利用する場所を占有 確保する為に用いられ 荷物を置いたり食事をする時に利用され 単色か 絵柄がプリントされていても 見た目の美しさや他のレジャーシートとの違いを見分ける効果しかなかった。
【課題を解決するための手段】
【０００４】
本考案は指定された色の場所に 左手→右手→左足→右足と順番を決めて置くツイスターゲーム（以下ツイスターゲーム）や 一枚の紙を線描きでいくつもにくぎりそれにさまざまな絵を描き入れた絵双六（以下絵双六）などの遊戯をすることを目的とした絵柄をレジャーシートにプリントして より多目的に使用できるようにした。
又 レジャーシートの表面にすべり止めの溶剤を塗布したり あるいはレジャーシートの材質そのものを 従来衣紋掛けのすべり止めに利用している摩擦係数の大きいポリビニール類（polyvinyl chloride）などを使用する事で遊戯中の遊戯者がすべらないようにした。
【考案の効果】
【０００５】
従来のレジャーシートは単色か 絵柄がプリントされていても、見た目の美しさや他のレジャーシートとの違いを見分ける効果しかなかった。本考案はツイスタゲームや絵双六等の遊戯をすることを目的とした絵柄をレジャーシートにプリントしてより多目的に使用できるようにした。
又 レジャーシートにすべり止めほどこして遊戯中に遊戯者がすべらないようにした。これにより本考案のレジャーシートは 従来 のレジャーシートに比べ遊戯を楽しむ効果が得られる。
【考案を実施するための最良の形態】
【０００６】
図１はツイスターゲーム用のレジャーシートである。２人の遊戯者はレジャーシートを挟んで対戦する。先攻から交互に色を指定して ２人同時に 左手→右手→左足→右足を指定された色の場所に置いていき体勢のくずれた方を負けとする。
図２はツイスターゲーム用レジャーシートの隅部の拡大図であり 遊戯中に遊戯者がすべるなどの不測の事故に備えて 表面にすべり止めの溶剤を塗布して遊戯者がすべらないようにしている。
【産業上の利用可能性】
【０００７】
従来のレジャーシートは単色か 絵柄がプリントされていても、見た目の美しさや他のレジャーシートとの違いを見分ける効果しかなかった。本考案はツイスタゲームや絵双六等の遊戯をすることを目的とした絵柄をレジャーシートにプリントしてより多目的に使用できるようにした。
又 レジャーシートにすべり止めをほどこして遊戯中に遊戯者がすべらないようにした。
これにより本考案のレジャーシートは 従来のレジャーシートに比べ遊戯を楽しむ効果が得られる。
【図面の簡単な説明】
【０００８】
【図１】ツイスターゲーム用レジャーシートの平面図
【図２】ツイスターゲーム用レジャーシート隅部の拡大図
【符号の説明】
【０００９】
（１）ツイスターゲーム用レジャーシート隅部 
（２）ツイスターゲーム用レジャーシートのすべり止めの溶剤
（３）ツイスターゲーム用レジャーシートのプリント
（４）ツイスターゲーム用レジャーシートの本体  
（５）ツイスターゲーム用レジャーシートのあおり止め穴部
（６）ツイスターゲーム用レジャーシートのあおり止め穴部の保護金具
【図１】
0003109048.tif 000003
【図２】
0003109048.tif 000004
【手続補正書】
【提出日】平成17年1月27日(2005.1.27)
【手続補正１】
【補正対象書類名】実用新案登録請求の範囲
【補正対象項目名】全文
【補正方法】変更
【補正の内容】
【実用新案登録請求の範囲】
【請求項１】
ツイスターゲームや絵双六などの遊戯をする目的の絵柄をプリントしたレジャーシート。
【請求項２】
前記絵柄を表裏両面にほどこした請求項１記載のレジャーシート。
【請求項３】
表面にすべり止め効果をほどこした請求項１または２記載のレジャーシート。
【請求項４】
すべりにくいポリビニール類（polyvinyl  chloride）を材料に使用した請求項１または２記載のレジャーシート。
(57)【要約】      （修正有）【課題】キャスター付き大型キャリイボックスに対応する、トランスポーターの手押し、引張り作業時の、足首上部や、アキレス腱への衝撃による損傷を最小にし、労災事故を減少させる。【解決手段】パイプ１ａ、１ｂ、１ｃをパイプ短管２ａ、２ｂを介して、長さ調整用の止め具４の付いたゴムヒモ３でたばねたものに、さらに被膜付銅線５でパイプ１ａ、１ｂを固定して、足首に巻きつけることにより、キャリイボックス底部（パレット端面）及びキャスターカバー金具と、作業者の足首上部やアキレス腱との衝突の衝撃を緩和することにより、作業事故を減少させ、安全性向上に役立つ。【選択図】図１
0003109043.tif 000002
【実用新案登録請求の範囲】
【請求項１】
横穴をあけたパイプ（水道用塩ビ管、金属管、竹等）を垂直に、足首にならべ、横にたてつけ用の短管を設けて、長さ調整可能な止め具をつけたゴムヒモと被膜付銅線にてまとめて一体にしたところを特徴とする、主として、流通、運輸業界（とりわけ大手宅配便上場会社御用達）に普及しつつあるキャスター付き大型キャリイボツクス（容量約１．６立方メートル、最大重量約６００ｋｇ）に対応するところの、トランスポーターの為の、アキレス腱プロテクター
【考案の詳細な説明】
【技術分野】
【０００１】  本考案はパイプを縦にならべてゴムヒモと銅線にて固定して、足首上部にまきつけた、アキレス腱プロテクターに関するものである。
【背景技術】
【０００２】  流通、運輸業界では、（とりわけ大手宅配便上場会社御用達の）キヤスター付きキャリイボックス（容量約１．６立方メートル、最大荷重約６００ｋｇ）が普及し使用されているが、これの最大の欠点は構内移動作業中に、ボックスの底面（パレットの水平端面）や、キャスターカバー金具などと、作業者の足首が衝突して、アキレス腱を裂傷するなどの事故が多発することである。安全靴はあまり役に立たず、作業者はほとんど無防備の状態におかれているので大変である。
【考案の開示】
【考案が解決しようとす課題】
【０００３】  足首の損傷は労災事故につながり業務に支障をきたす。したがって労災事故の予防は経済的にも、人的にも重要事項である。従って、アキレス腱プロテクターを足首へ巻き付けることは安全性の向上に役立ち、作業事故を減少せしめ、前述の欠点を解決しようとするものである。
【問題を解決するための手段】
【０００４】  本考案は穴をあけたパイプ（水道用塩ビ管、金属管、竹等）をたてにならべて、短管を介してゴムヒモでまとめて、ずれないようにし、且つゴムヒモの張力を止め具で調整可能にし、アキレス腱後部には銅線を介して三本のパイプを固定することで、ずれない、落ちないようにして問題を解決している。
【考案の効果】
【０００５】  上述のように本考案のトランスポーターの為のアキレス腱プロテクターは足首上部より、アキレス腱部までパイプでカバーするし、しかも垂直方向に設けてあるので、キャリイボックスの底部（パレット部）は水平の角で出ており、パイプの一部がキャリイボックスに当たれば、そこで、接触は止まり、しかもパイプが衝撃を和らげ、被害を最少にし、安全性を良くし、作業性を向上することに役立つ。
【考案の実施するための最良の形態】
【０００６】  キャリイボックスの底部（パレット）の水平な端面とキャスターカバーの金具の出っ張りが足首を主として傷つけるので、垂直方向に並べたパイプ（水道用塩ビ管、金属管、竹等）を足首の前と後部にずれないように配置し、しかも、作業能率が落ちない程度の自由度が要求されるので、軽量でずり落ちないようにし、ゴムヒモの長さを調整式の止め具をつけ、アキレス腱の当たる部位のパイプ三本は被膜付銅線にて固定した上で足首に取り付ける。
【実施例】
【０００７】  以下、添付図面に従って一実施例を説明する。１ａ、１ｂ、１ｃ、２ａ、２ｂはパイプ（水道用塩ビ管、金属管、又は竹等適宣素材）、垂直に、足首に並べられた１ａ、１ｂ、１ｃはずり落ちないようにゴム穴があけてある。３はゴムヒモ，５は被膜付銅線で１ａ、１ｂの下部を貫通して固定するが，上部はゴムヒモ固定なので，ずれにくいし，落ちにくい。４はゴムヒモ止め具で張力を調整しながらまきつけることが出来る。よって、キャリイボックスの底面の水平な角や，キャスターカバー金具との衝突の際の足首への衝撃はやわらげられ，被害は最小となり安全性が向上する。
【図面の簡単な説明】
【０００８】
【図１】本考案のトランスポーターの為のアキレス腱プロテクターの足首への組付け図である。
【図２】本プロテクターの展開図である。
【符号の説明】
【０００９】  １ａ  アキレス腱側面用パイプ
１ｂ  アキレス腱後部用パイプ
１ｃ  足首前用パイプ
２ａ  後部短管
２ｂ  足首側面用短管
３    ゴムヒモ
４    ゴムヒモ止め具
５    被膜付銅線
【図１】
0003109043.tif 000003
【図２】
0003109043.tif 000004
【手続補正書】
【提出日】平成16年12月17日(2004.12.17)
【手続補正１】
【補正対象書類名】実用新案登録請求の範囲
【補正対象項目名】全文
【補正方法】変更
【補正の内容】
【実用新案登録請求の範囲】
【請求項１】
水道用塩ビ管、金属管又は竹等のパイプに横穴を開け，足首に垂直に並べ，横に立て付け用の短管を設けて，長さ調整可能な止め具をつけたゴムヒモと被膜付銅線にてまとめて一体にして，流通，宅配便業界で使用するキャスター付き大型キャリイボックスのパレット底面の水平端面より，足首やアキレス腱を防備するを特徴とするトランスポーターの為のアキレス腱プロテクター
(57)【要約】      （修正有）【課題】回遊魚と呼ばれるブリ、カンパチ等の活魚を飼育するために環状遊路を作り、濾過された新鮮な海水等を確実に早く循環して、必要な環境を整え養魚の良好な育成に供するものである。【解決手段】回遊蓄養装置１は、蓄養水槽２、フィルター槽５、濾過槽６、殺菌槽７及び熱交換器付ポンプ槽８とを一体的に構成し、蓄養水槽２には、内部の中央部分に郡泳する回遊路となる長手方向の各種構成材料よりなる仕切板３を縦設する。仕切板３には、左右の両端に所定間隔の循環遊流水路１１を各形成する。また、該蓄養水槽の内部に所要数のエアー吐出口１０を設けた事を特徴としている。【選択図】なし【実用新案登録請求の範囲】
【請求項１】
合成樹脂製及びコンクリート板等の構成材料を以って方形状に形成される回遊蓄養装置（１）には、蓄養水槽（２）と接続してフィルター槽（５）、濾過槽（６）、殺菌槽（７）及び熱交換器付ポンプ槽（８）より一体的に構成された活魚水槽用の回遊蓄養装置において、前記蓄養水槽（２）には、底部の所定位置に排水口（９）を形成し、且つ該蓄養水槽（２）には、内部の中央部分に回遊路となる長手方向の各種構成材料よりなる仕切板（３）を縦設し、該仕切板（３）には、左右の両端に所定間隔の循環遊流水路（１１）（１１）を各々形成し、更に該蓄養水槽（２）の内側には、所要数のエアー吐出口（１０）を装設したことを特徴とする活魚水槽用の回遊蓄養装置。
【考案の詳細な説明】
【技術分野】
【０００１】  本考案は、各種の魚類、特に回遊魚（青物）と呼ばれるブリ、カンパチ等の活魚を飼育するためのもので、濾過された新鮮な海水により該回遊魚の環状遊路を作り、回遊魚と共に水温を一定に保持した海水等を確実に早く循環させ、必要な環境を整え養魚の育成を良好とするための活魚水槽用の回遊蓄養装置に関するものである。
【背景技術】
【０００２】  一般的にこの種の活魚水槽用の蓄養装置においては、方形状等の蓄養水槽の内部に前記回遊魚を放魚収容して蓄養するものであるが、この場合は、各種回遊魚は、各々四方に向って自由に遊泳するため、回遊魚としての縦列輪状郡泳は不可能となる欠点と、郡泳が出来ないために運動不足等の事態になり発育不良等になる欠点があった。
【考案の開示】
【考案が解決しよとうする課題】
【０００３】  本考案は、上記従来の欠点を解決するためのものであり、その主たる目的とする所は、蓄養水槽、濾過槽及び熱交換槽等を有する回遊蓄養装置の蓄養水槽の内部の中央部分に仕切板を設置して循環遊流水路を設け回遊魚のために海水等を確実に早く循環することによって、成長を促進させ、養魚の効果を達成するものである。
【課題を解決するための手段】
【０００４】  本考案は上記目的を達成するために、回遊蓄養装置には、蓄養水槽、フィルター槽、濾過槽、殺菌槽及び熱交換器付ポンプ槽の全体を一体的に構成され、該蓄養水槽の中央部分に仕切板を設け、その仕切板の両端に循環遊流水路を形成し、該蓄養水槽の内側には、所要数のエアー吐出口を装設したものである。
【考案の効果】
【０００５】  本考案は、上記の様に構成される活魚水槽用の回遊蓄養装置によれば、濾過槽、殺菌槽及び熱交換器付ポンプ等を装設された蓄養水槽には、常時新鮮に濾過された海水等を循環供給できる効果がある。
また、全体が一体的で小型化でき、且つ良好な温度を維持して循環水を浄化できる効果もある。
更に、該蓄養水槽には、底部の所定位置に排水口を設けると共に、内部の中央部分に長手方向の仕切板を縦設し、該仕切板の左右両端に所定間隔の循環遊流水路を各々形成したので、ポンプから排出された海水等の循環水は、濾過された新鮮な流水となって一方の方向に流動し確実敏速に循環する効果と、糞尿も溜まることなく排出でき、且つ各種の回遊魚等は、該循環遊流水路によって、縦列郡泳による輪状郡泳で遊動するので、適宜の運動となるので回遊魚は良好な状態を達成できると云う効果がある。また、該蓄養水槽の内側に設けた所要数のエアー吐出口によって、流水は確実に仕切板の外周を循環する効果がある。
【考案を実施するための最良の形態】
【０００６】  本考案によれば、回遊蓄養装置を蓄養水槽と、濾過槽、殺菌、熱交換、ポンプ槽を一体的に構成したので、蓄養水槽内の循環水は、排水口よりフィルター槽、濾過槽、殺菌槽及び熱交換器付ポンプ槽によって、新鮮に濾過された海水となって注入され、蓄養水槽のエアー吐出口よりのエアーで流水は勢いよい循環水となり、各種の回遊魚を元気よく輪状遊泳させるものである。
【実施例】
【０００７】  本考案の実施例を図面について詳しく説明すると、回遊蓄養装置（１）は、各種の活魚等の回遊魚を飼育する大きさに合成樹脂又はコンクリート板等の構成材料を以って略方形状に形成される。該回遊蓄養装置（１）は、蓄養水槽（２）と連設されているフィルター槽（５）と、濾過槽（６）、殺菌槽（７）及び熱交換器付ポンプ槽（８）とを以って一体的に構成されている。
該蓄養水槽（２）には、底部の所定位置に各種形状のフィルター槽（５）に連通する排水口（９）を形成してある。また、該蓄養水槽（２）には、底部の略中央部分の長手方向となる各種の構成材料となる仕切板（３）を縦方向に立設してある。
該仕切板（３）には、図示の如く、左右の両端部分に所定間隔となる循環遊流水路（１１）（１１）を各々開設してある。
更に、該フィルター槽（５）の上部には、蓄養水槽（２）をオーバーフローした水の流入口を設け、該蓄養水槽（２）の浮遊物をオーバーフローさせて、常時該蓄養水槽（２）の表面を綺麗にして該フィルター槽（５）に流水するようになっている。
また、該蓄養水槽（２）には、内部の角隅部に所要数のエアー吐出口（１０）（１０）…を装設してある。なお、（１２）は、各々のオーバーフローを示し、（１３）は、該フィルター槽（５）内のフィルターマットを示し、（１４）は、該濾過槽（６）内に敷設した濾材を示し、（１５）は、熱交換器付ポンプ槽（８）に装設してある軸流ポンプを示したものである。
【図面の簡単な説明】
【０００８】
【図１】  本考案の回遊蓄養装置の全体の平面図である。
【図２】  同じく本考案の一部分の縦断側面図である。
【符号の説明】
【０００９】    １          回遊蓄養装置
２          蓄養水槽
３          仕切板
５          フィルター槽
６          濾過槽
７          殺菌槽
８          熱交換器付ポンプ槽
９          排水口
１０          エアー吐出口
１１          循環遊流水路
１４          濾材
１５          軸流ポンプ
【図１】
0003109049.tif 000002
【図２】
0003109049.tif 000003
(57)【要約】      （修正有）【課題】車両付近においてホースを使用する場合、車両タイヤにホースが食い込むことを防止する器具を提供する。【解決手段】混車１を組み込んだ器具を車両タイヤ付近に装着する。【効果】タイヤにホースが食い込み、ホースが動かなくなる不便さがなくなる。また、器具の着脱が容易であり、同一器具によって使用可能なタイヤサイズもその範囲が広い。【選択図】図１
0003109045.tif 000002
【実用新案登録請求の範囲】
【請求項１】
（イ）車両のタイヤをはさんで固定できる棒に支柱をつける。
（ロ）支柱にホースを滑らせるための滑車をつける。
（ハ）支柱上部にタイヤ表面を受けられるＵ型の棒を取り付ける。
以上のごとく構成された滑車器具。
【考案の詳細な説明】
【技術分野】
【０００１】  本考案は、車両タイヤにホースがはさまらずに使える器具に関する。
【背景技術】
【０００２】  従来は、車両タイヤ付近でホースを使用する場合、タイヤにホースがはさまって動かせなくなる事態が発生していた。
【考案の開示】
【考案が解決しようとする課題】
【０００３】  ホースがはさまるたびに作業を中断し、ホースをタイヤから引き離すか、ホースがはさまらないようにあらかじめ使用するホースの長さをタイヤ付近で引っぱり出しておく必要があった。
【課題を解決するための手段】
【０００４】  そこで、滑車を組み込んだ本考案器具を車両タイヤに装着して、ホースがはさまらないようにした。
【考案の効果】
【０００５】  よって、本考案の器具により、車両付近においてホースを使用する場合、タイヤにホースが食い込み、ホースが動かなくなる不便さがなくなる。また、器具の着脱が容易であり、同一器具によって使用可能なタイヤサイズもその範囲が広い。
【考案を実施するための最良の形態】
【０００６】  本考案にかかる器具は図２に示されるようにタイヤに固定され、装着はただ差し込むだけでよく、また取り外しはただ引き抜くだけである．
一般的な自動車用タイヤはすべて対応可能である。本考案器具がタイヤに合わない場合は、器具の左右の棒の両端を持ち、幅に応じて図４の４の間隔を狭めたり広げたりして調節すればよい。一度調節すればそのタイヤについては以降はそのまま使える。
なお、滑車はホースを斜め上方に引っ張ったときにホースがはずれないように、滑車上部で広げてある。また、滑車の下にホースがもぐり込まないために張り出しをつけてある。図３の使用例のようにこの張り出しの上にホースが乗る。張り出しはホースを引っ張ったときに傷を付けないため曲面に曲げて固定させている。
また、ねじれたホースがからまって滑車にひっかかることを防止するために滑車を上下２つに分けてある。
【図面の簡単な説明】
【０００７】
【図１】  左上方から見た斜視図である。
【図２】  装着した斜視図である。
【図３】  ホース使用例の図である。
【図４】  上方から見た図である。
【図５】  本考案器具を左横から見た装着図である
【図６】  本考案器具を後方から見た装着図である。
【符号の説明】
【０００８】    １  滑車
２  タイヤ
３  ホース
【図１】
0003109045.tif 000003
【図２】
0003109045.tif 000004
【図３】
0003109045.tif 000005
【図４】
0003109045.tif 000006
【図５】
0003109045.tif 000007
【図６】
0003109045.tif 000008
(57)【要約】【課題】一種釘の構造に係り、金属材質（例  鉄、ステンレス）により形成する抜き易い釘の構造を提供する。【解決手段】  主に軸部の片端へ先部を形成し、別の片端へ頭部を形成し、軸部の適正な位置へ適正な長さのスクリュー部を設け、並びに釘の頭部上面へ駆動部を設けることにより、容易に抜くことができる釘の構造；前記軸部の両側は平面状を呈し、並びに前記軸部の別の両側はスクリューを形成してスクリュー部とすることを特徴とする釘の構造；前記スクリュー部は軸部の頭部に近い位置へ設けることが好ましいことを特徴とする釘の構造；前記駆動部は凹型の十文字、或いは凹型の一文字、或いは凹型のその他の多角形を呈し、又は凸型の十文字、或いは凸型の一文字、或いは凸型のその他の多角形を呈することを特徴とする釘の構造。【選択図】  図３
0003109496.tif 000002
【実用新案登録請求の範囲】
【請求項１】
金属材質により形成し、
主に軸部の片端へ先部を設け、別の片端へ頭部を設け、
該軸部の適正な位置へ適正な長さのスクリュー部を設け、並びに該頭部へ駆動部を設けることを特徴とする釘の構造。
【請求項２】
前記軸部の両側は平面状を呈し、並びに前記軸部の別の両側はスクリューを形成してスクリュー部とすることを特徴とする請求項１記載の釘の構造。
【請求項３】
前記スクリュー部は軸部の頭部に近い位置へ設けることが好ましいことを特徴とする請求項１記載の釘の構造。
【請求項４】
前記駆動部は凹型の十文字、或いは凹型の一文字、或いは凹型のその他の多角形を呈し、
又は凸型の十文字、或いは凸型の一文字、或いは凸型のその他の多角形を呈することを特徴とする請求項１記載の釘の構造。
【考案の詳細な説明】
【技術分野】
【０００１】
本考案は一種釘の構造に係り、特に抜き取り易い釘の構造に関する。
【背景技術】
【０００２】
図１、２に示すように、公知の釘の構造は、軸部１１、該軸部の片端へ先部１２を設け、別の片端へ頭部１３を設けており、このような釘１０を使用する時、工具により頭部１３へ衝撃を与え先部１２を木材へ打ち込むものである。
上述の公知の鉄（ステンレス）釘１０は、木材へ釘を打ち込むのには便利であるが、鉄（ステンレス）釘１０が木材内に打ち込まれた後、鉄（ステンレス）釘１０の頭部１３まで木材内に入り込んでしまい易く、
特に、作業の効率化のため、目下このような鉄（ステンレス）釘１０の釘は電動（或いはエアー）釘打ち機により施工し、電動（或いはステンレス）釘打ち機の力は大きいため、図２に示すように、鉄（ステンレス）釘１０の頭部１３は木材表面へ入り込んでしまうため、鉄（ステンレス）釘１０は抜く作業に非常に手間がかかり、廃材回収時に費用、労力の浪費、廃材回収業者の負担が増加する。
【特許文献１】特公平１０−３３１８２０号公報
【考案の開示】
【考案が解決しようとする課題】
【０００３】
上述のような公知における釘の構造は、一度木材へ打ち込むと木材に鉄（ステンレス）の釘が入り込んでしまうため、鉄（ステンレス）釘１０は抜く作業に非常に手間がかかり、廃材回収時に費用、労力の浪費、廃材回収業者の負担が増加する。
上述公知の構造の欠点を解決するため、本考案は一種金属材質（例  鉄、ステンレス）により形成し、木材に打ち込んだ後、容易に抜くことができる釘の構造を提供することを課題とする。
【課題を解決するための手段】
【０００４】
上記課題を解決するため、本考案は以下の特徴を有する。
請求項１の考案は、一種釘に係り、金属材質（例  鉄、ステンレス）により形成し、
主に軸部の片端へ先部を設け、別の片端へ頭部を設け、
該軸部の適正な位置へ適正な長さのスクリュー部を設け、並びに該頭部へ駆動部を設けることを特徴とする。
請求項２に記載するように、前記軸部の両側は平面状を呈し、並びに前記軸部の別の両側はスクリューを形成してスクリュー部とすることを特徴とする。
請求項３に記載するように、前記スクリュー部は軸部の頭部に近い位置へ設けることが好ましい。
請求項４の考案は、前記駆動部は凹型の十文字、或いは凹型の一文字、或いは凹型のその他の多角形を呈し、又は凸型の十文字、或いは凸型の一文字、或いは凸型のその他の多角形を呈することを特徴とする。
【０００５】
すなわち、これらの考案は、一度木材へ打ち込んだ釘を抜き易くする釘の構造である。
【考案の効果】
【０００６】
本考案によれば、一度木材へ打ち込んだ釘を抜き易くすることができる。
【考案を実施するための最良の形態】
【０００７】
本考案の好適な実施例を図面に沿って説明する。
図３に示すように、本考案の釘２０は金属材質（例  鉄又はステンレス）により形成し、主に軸部２１の片端は先部２２を形成し、別の片端は頭部２３を形成し、ただ上述の構造は、公知の構造と大同小異であり、且つ本考案の目的は目的を達成するために運用する技術及びその構造の特徴にある。
釘２０の軸部２１の適当な位置へ一定の適当な長さのスクリュー部２４を設け、並びに釘２０の頭部２３上面に駆動部２５を設ける。
軸部２１の両側は平面状を呈し、軸部２１の別の両側にスクリューを形成してスクリュー部２４とする。
該スクリュー部２４は軸部２１の頭部２３へ近接していることが好ましい。
該駆動部２５はは凹型の十文字、或いは凹型の一文字、或いは凹型のその他の多角形を呈し、また凸型の十文字、或いは凸型の一文字、或いはその他の多角形を呈する。（図５に示す。）
上述の設計により、本考案の釘２０を使用する時、公知の鉄（ステンレス）の釘と同様に電動（或いはエアー）釘打ち機を利用して頭部２３へ力を入れ、別の片端の先部２２を木材内へ打ち込む。
本考案の釘２０を抜く時（図４に示す）、工具を頭部２３上面の駆動部２４へ嵌合し、その後、釘２０は回転し、軸部２１のスクリュー部２４が外へ向かって回りながら退き、頭部２３木材から飛び出し、容易に釘抜き器を利用して釘２０を木材から抜くことができる。
【図面の簡単な説明】
【０００８】
【図１】公知における鉄（ステンレス）釘の立体構造図である。
【図２】公知における鉄（ステンレス）釘の使用図である。
【図３】本考案の立体構造図である。
【図４】本考案の実施例図である。
【図５】本考案のもう一つの実施例立体構造図である。
【符号の説明】
【０００９】
１０      鉄（ステンレス）釘
１１      軸部
１２      先部
１３      頭部
２０      鉄（ステンレス）釘
２１      軸部
２２      先部
２３      頭部
２４      スクリュー部
２５      駆動部
【図１】
0003109496.tif 000003
【図２】
0003109496.tif 000004
【図３】
0003109496.tif 000005
【図４】
0003109496.tif 000006
【図５】
0003109496.tif 000007
(57)【要約】【課題】氷雪割り用具における課題を解決するため、種々の提案がなされているが、氷雪割り先端部の刃先形状の改良及び梃子を応用した刃先支持部の形状改良が行われているが、構造の複雑化及び耐久性に問題があるなど、氷雪割り効果を上げていないなど欠点がある。【解決手段】本考案に係る氷雪割り用具は、構造の簡素化により、用具自体の重量の軽減化と用具の維持管理が容易となり、用具は人的力による氷雪を割り砕くのではなく、氷雪割り用具自体の重量をも利用する方式のため、作業者の負担軽減を目指すとともに、同時に路面への損傷も軽減を図れた。【選択図】図１
0003109498.tif 000002
【実用新案登録請求の範囲】
【請求項１】
柄本体は中空状の円形筒体であって、その円形筒体の中心には滑動自在の上下にスライドする鋼棒の軸部を有し、鋼棒軸の一方の先端にはハの字型の操作ハンドグリップ、もう一方の鋼棒軸先端は重量を持つシャフト部に接合されており、円形筒体底部には緩衝を目的とするゴム質パッキンを装着し、シャフト部から受ける衝撃を緩衝し、雪氷面最下点先端の刃部に、シャフト部重量とハンドグリップ部からの力を伝達する構造を特徴とする氷雪割り用具
【考案の詳細な説明】
【技術分野】
【０００１】本考案は、積雪寒冷地域において、玄関先や道路及び舗道などの路面において発生する、圧雪アイスバーン等の氷雪を割り砕く簡便な用具に関するものである。
【背景技術】
【０００２】従来、さまざまな氷雪割り用具が考案されているが、構造が複雑であったり、用具自体の重量が作業者に大きな負担を強いており、しかも氷雪割り用具の使用により、道路及び舗道などの路面の損傷を起すという悪影響が出てきた。
【考案の開示】
【考案が解決しようとする課題】
【０００３】氷雪割り用具における前述の課題を解決するため、種々の提案がなされているが、例えば氷雪割り先端部の刃先形状の改良及び梃子を応用した（実用新案出願２００４−１７５２号）刃先支持部の形状改良が行われているが、構造の複雑化及び耐久性に問題があるなど、氷雪割り効果を上げていないなど欠点がある。【０００４】一方、氷雪割り用具刃先に、足を掛ける適巾を設け、足の力を利用する構造を採る用具においては、氷雪面に対し深く突き刺し、路面より引き剥がす方法も考案されている（実用新案出願平８−９０１４号）。【０００５】しかし、従来の氷雪割り用具は、確実な氷雪割りを期待するがゆえに、構造が複雑になり、耐久性も乏しいものになり、氷雪割り用具自体の重量が増加し、作業する者に肉体的な負担が増し、しかも、道路及び舗道等の路面に損傷を招くなどの問題がある。
【課題を解決するための手段】
【０００６】前記課題を解決するため、本考案に係る氷雪割り用具は、構造を簡素化し、用具自体の重量を軽減し、用具の維持管理を必要としない構造化を図り、また、用具自体の重量により、氷雪を割り砕く方式のため、作業者の負担軽減を目指すとともに、同時に路面への損傷も軽減を図った。
【考案の効果】
【０００７】本考案によると、氷雪割り用具は、構造の簡素化により、用具自体の重量の軽減化と用具の維持管理が容易となり、用具は人的力による氷雪を割り砕くのではなく、氷雪割り用具自体の重量をも利用する方式のため、作業者の負担軽減を目指すとともに、同時に路面への損傷も軽減を図れた。
【考案を実施するための最良の形態】
【実施例】
【０００８】以下、本考案の実施形態につき図を参照して説明する。図１には、本考案に係る氷雪割り用具が地面に対し、垂直に立位の状態で示されているが、ａ）は真上から見たハンドグリップ部１０は、作業者から見て緩やかなハの字型に形成され、作業者の腕や手首への負担を緩和する目的で形成されている。【０００９】本考案の氷雪割り用具において、図１のｂ），ｃ）で説明すると柄本体１２は中空状の円形筒体であり、その中心にはハンドグリップ部１０を上部に持ち、滑動自在の鋼棒軸１１がシャフト部１３と接合し、中空状の円形筒体に収まり、円形筒体底部にはゴム質パッキンＸが緩衝部材として固定され、氷雪面側先端には氷雪を割り砕くための刃部Ｙが装着されている構造を見る事ができる。【００１０】図２では、氷雪割り用具を人的力により、ハンドグリップ部１０を上下にスライドした状態を示しているが、ｄ）は氷雪割り作業の際、氷雪面Ｚに刃先Ｙを突き当て、ハンドグリップ部１０を上側へ引上げた状態であり、シャフト部１３には適度な重量があるため、引上げ距離は大きくとる必要はない。【００１１】図２のｅ）で示すように、本考案、氷雪割り用具は、軽い力でハンドグリップ部１０を地面側に押し下げるが、鋼棒軸１１に接続する、シャフト部１３の重量が、ハンドグリップ部１０を引き下げる際、人的力を軽減している、また、引き下げられたシャフト部１３は、本体柄部の底面に固定装着した、ゴム質パッキンＸに衝撃を伝え、刃先Ｙへ衝撃を伝達し、氷雪面Ｚに突き刺した刃部Ｙが氷雪を割り砕くことが出来る。
【産業上の利用可能性】
【００１２】本考案における、氷雪割り用具は、北国積雪地域の日常生活で、主婦及び老人など、非力な人でも容易に取扱え、安全で確実な氷雪割りを行うことができ、用具は構造がシンプルであるため、様々な環境下でも特別なメンテナンスを必要としないため、維持管理は極めて容易である、しかも、玄関先や舗道及び道路の路面に対する損傷を軽減することができる。
【図面の簡単な説明】
【００１３】
【図１】本考案の氷雪割り用具の立位での上面からの図ａ）立位での正面図で一部破断図を示すｂ）立位での側面図で一部破断図を示すｃ）
【図２】本考案の氷雪割り用具の正面図で柄部の断面図を示す。
【符号の説明】
【００１４】１０  ハンドグリップ部
１１  鋼棒軸
１２  柄本体で円形筒体部
１３  シャフト部
Ｘ    ゴム質パッキン部（緩衝材）
Ｙ    氷雪割り用刃部
Ｚ    氷雪面
【図１】
0003109498.tif 000003
【図２】
0003109498.tif 000004
(57)【要約】      （修正有）【課題】本考案は、ガラス面や、ピン等が刺さらない硬い滑面壁にポスターや広告ボード等を簡単に展開でき、はずした跡に汚れを発生することもなく、簡単に取り付け取りはずしができ、繰り返し再使用できる掲示物用吸盤を得るにある。【解決手段】吸盤軸５の縦方向に凹の穴を設け、そこに押しピン方式で差込部３を、展開しようとする掲示物を貫くように押し込むことでポスターや広告ボード等が固定され掲示できる。又、差込部３を抜くことで掲示物の差し替えが容易で、吸盤先端部の紐４を引くことで滑面壁から容易に吸盤を取りはずしができ何度でも再使用できる。【選択図】図１
0003109478.tif 000002
【実用新案登録請求の範囲】
【請求項１】
吸盤軸の縦方向に凹の穴を設け、そこに吸盤先端部と合成樹脂材の紐で接続された、硬質の合成樹脂材のつばを持つ、頭部を丸や花等でデザインされたくさび型の差込部が入る構造からなる特徴の、押しピン方式の掲示物用吸盤。
【考案の詳細な説明】
【技術分野】
【０００１】
本考案は、主にガラス面やピン等が刺さらない硬い滑面壁にポスターや広告ボード等掲示物を展開するための吸盤に関する。
【背景技術】
【０００２】
従来、ガラス面やピン等が刺さらない硬い滑面壁にポスターや広告ボード等掲示物を展開するには、ポスターには、主にセロテープ（登録商標）やガムテープ等粘着物が使われ、広告ボード等掲示物は吸盤の軸に横穴を設けて紐や棒を通す仕組みで、その紐や棒に吊るしたり止めたりしていた。
【０００３】
よって、ポスターをはずした後に、セロテープ（登録商標）やガムテープ等粘着物の糊跡がきれいに取れず汚れを発生させる欠点があった。また、吸盤で広告ボード等掲示物を紐で展開すると風等で揺れたりして確実に固定できず、棒を使用するにしても、紐と同様に垂れ幕のように吊り下げるのは良いが、広告ボード等横に展開するのは困難である、という欠点があった。
【特許文献１】特開平０７−  １５１１３１
【特許文献２】特開平１１−    ２２７１７
【特許文献３】特開２００２−３３３８４１
【特許文献４】特開２００３−    ５６８０
【特許文献５】実開昭６２−    ８４０９２
【考案の開示】
【考案が解決しようとする課題】
【０００４】
本考案は以上のような従来の欠点に鑑み、ガラス面やピン等が刺さらない硬い滑面壁にポスターや広告ボード等を簡単に展開でき、はずした跡に汚れを発生することもなく、簡単に、取り付け取りはずしができ、繰り返し再使用できる掲示物用吸盤を提供することを目的としている。
【０００５】
本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。
【課題を解決するための手段】
【０００６】
上記目的を達成するために、本考案は吸盤の軸縦方向に凹の穴を設け、そこに吸盤先端部と合成樹脂材の紐で接続された、硬質の合成樹脂材のつばを持つ、頭部を丸や花等でデザインされたくさび型の差込部が入る構造からなる特徴の、押しピン方式で掲示物用吸盤を構成している。
【考案の効果】
【０００７】
以上の説明から明らかなように、本考案にあっては次に列挙する効果が得られる。
（１）吸盤軸の縦方向に凹の穴を設け、そこに吸盤先端部と合成樹脂の紐で接続された、硬質の合成樹脂材のつばを持つ、頭部を丸や花等でデザインされたくさび型の差込部が入る構造からなる特徴の、押しピン方式で吸盤を構成されているので、ガラス面やピン等が刺さらない硬い滑面壁にポスターや広告ボードを展開することができる。
【０００８】
（２）前記（１）によって、ポスターの展開にセロテープ（登録商標）やガムテープ等の粘着物を使わないので、はずした後に糊跡もなく汚れを発生する事がない。
【０００９】
（３）前記（１）によって、吸盤先端部の紐を引くことで、ガラス面や硬い滑面壁から吸盤本体を簡単に取りはずすことができるので、取り扱いが容易で何度も再使用できるので経済的である。
【００１０】
（４）前記（１）によって、吸盤軸につばを持つ、頭部を丸や花等でデザインされたくさび型の差込部で押しピン方式で固定されたポスターや広告ボード等は、つばを持つ、頭部を丸や花等でデザインされたくさび型の差込部を抜く事で容易に掲示物を取りはずし、取替えができる。
【００１１】
（５）前記（１）によって、つばを持つ、くさび型の差込部頭部を、丸や花等、いろいろな形や色でデザインすることでより楽しい掲示物を提供する事が出来る。
【考案を実施するための最良の形態】
【００１２】
以下、図面に示す考案を実施するための最良の形態により、本考案を詳細に説明する。
【００１３】
図１ないし図４の本考案の第一の最良の形態において、１は吸盤本体である。５は吸盤軸で２は吸盤軸の穴である。３は頭部を丸や花等でデザインされた硬質の合成樹脂材で６のつばを持つくさび型の差込部である。４は吸盤先端部と差込部を接続する合成樹脂の紐である。
【００１４】
上記構成の掲示物用吸盤は、まず吸盤本体をガラス面又は滑面壁に吸着させ吸盤軸５の上にポスターをあてがい、吸盤軸穴２へつばを持つ、頭部を丸や花等でデザインされたくさび型の差込部３を貫く形で押し込むことで、ポスターが吸盤軸５と差込部のつば６に挟まれ、結果として吸盤にポスターが固定されることでポスターを掲示展開することができる。
【００１５】
また、広告ボード等を取り付けるときにはあらかじめ吸盤軸５が入る穴を広告ボード等にあけておき、吸着された吸盤軸５にボード等の穴をくぐらせ、吸盤軸穴２へつばを持つ、頭部を丸や花等でデザインされたくさび型の差込部３を押し込むことで吸盤に広告ボード等が固定されるので広告ボード等が掲示物として展開できる。
【００１６】
上記構成の使用において、吸盤は吸盤先端部の紐４を引くことで滑面壁から容易にはずすことができ吸盤軸穴２からつばを持つ、頭部を丸や花でデザインされた差込部３を引き抜くことで、ポスターや広告ボード等掲示物を、簡単に差し替えられ、はずすことができる。
又、吸盤先端部とつばを持つ、頭部を丸や花等でデザインされたくさびがたの差込部３は紐で接続されているので、紛失することもない。
さらに、吸盤は繰り返し再使用できるので経済的である。
【産業上の利用可能性】
【００１７】
本考案は吸盤を製造する産業および広告、デスプレイ業界で利用される。
【図面の簡単な説明】
【００１８】
【図１】本考案を実施するための最良の第１の形態の斜視図。
【図２】本考案を実施するための最良の第１の形態の断面図。
【図３】本考案を実施するための最良の第１の形態のポスターを展開使用状態の断面図。
【図４】本考案を実施するための最良の第１の形態の広告ボードを展開使用状態の断面図。
【符号の説明】
【００１９】
１：吸盤本体
２：吸盤軸穴
３：つばを持つ、頭部を丸や花でデザインされた差込部
４：吸盤先端と差込部の接続紐
５：吸盤軸
６：差込部のつば
【図１】
0003109478.tif 000003
【図２】
0003109478.tif 000004
【図３】
0003109478.tif 000005
【図４】
0003109478.tif 000006
(57)【要約】      （修正有）【課題】足場が悪く、高低差のある森林の伐採作業を安全で、しかも能率よく行うための作業機械を提供する。【解決手段】パワーのある油圧ショベル１のアタッチメントとして、クランプルと云われている把持装置とウィンチを一体として構成し、ウィンチのワイヤーｗを伸ばして伐採した木材を結束して曳き寄せ、クランプルで把持し、油圧ショベルの行動範囲の内で集材し、運搬車への積載が容易となるため森林での作業が能率よく行える。【選択図】図１
0003109442.tif 000002
【実用新案登録請求の範囲】
【請求項１】
油圧ショベルのアーム（３）先端にアタッチメントとして取付ける把持用のグラップルＡとこれと一体とした結束用のワイヤー捲取ドラム（８）と油圧によって駆動する回転駆動装置（７）を備えたウィンチＢを設けたことを特徴とした林業用集材機。
【考案の詳細な説明】
【技術分野】
【０００１】
本考案は、森林作業において、伐採した間伐材等を集材して結束し、運搬し易い安全な場所に曳き寄せる地曳きウインチを把持装置と一体とした林業用集材機に関する。
【背景技術】
【０００２】
価格の安い外国産木材の輸入や、人手不足等により国内の山林は手入れがゆきとどかず荒れ放だいであり、このため間伐がすすめられている。これにより山を守るための機械化が行われ種々の山林用機械も考案されている。
【０００３】
仲でも足場の悪い山林で木寄せ、集材、枝払い、玉切り等の作業は困難であり、このためパワーある油圧ショベルが用いられ、これのアタッチメントとして作業に適した器具が種々開発されている。
【特許文献１】特開２０００−３５０５２３号公報
【考案の開示】
【考案が解決しようとする課題】
【０００４】
上記のように油圧ショベルのアタッチメントとしては作業によって色々な器械が開発されているが、結束用のワイヤーウインチとしては、ブームの元に装着したもの、又はアームの先端から吊り下げられたもの等が現在現場で活躍している。しかし、このものはパワーのある油圧ショベルの力を十分利用しているとはいえない。これはワイヤーの取扱いや作業場所が限られるという欠点があった。
【課題を解決するための手段】
【０００５】
考案者はこの点に鑑み鋭意試作研究を重ねた結果本考案に到達したものであって、本考案は、油圧ショベルのアタッチメントの把持装置であるグラップルＡと一体としたウインチＢを開発したものである。
【０００６】
本考案はウインチＢをグラップルＡと一体とすることによって、油圧ショベルのアームの先端にウインチＢを設けることによって伐採木材の集材から地曳までが自在となり作業範囲が広く、取扱い易くなり、しかも油圧ショベルのアタッチメントを交換した際にもウインチＢの複雑な装置をショベル本体に残さないという利点を有する。
【考案の効果】
【０００７】
上述のように本考案の林業用集材機は、油圧ショベルのアタッチメントとしてのグラップルＡとウインチＢを一体としたためワイヤーによる結束・地曳等の作業が能率よく出来るばかりか、集材において高低差があり足場の悪い作業現場や、危険な場所での作業が安全であるとする画期的効果を奏する。
【実施例】
【０００８】
添付図面により本考案を説明する。図１は本考案の林業用集材機を使用して作業を行っている実施例図であって油圧ショベル（１）のアーム（３）にはアタッチメントとしての把持装置ＡとウインチＢが一体となって取付けられている。
【０００９】
このアタッチメントに関しては図２，図３に詳記する。図２は把持装置ＡとウインチＢの構成を示す側面図であり、図３は同じく正面図を示している。この把持装置Ａは、クラップルと呼ばれているもので油圧で作動する爪（１０）が設けてあって伐採された木材を１〜数本爪（１０）把持して油圧ショベルのアーム（３）の行動範囲によって集材場所に積置するか運搬車の荷台に搭載する。
【００１０】
この把持装置Ａに一体として取付けられているウインチＢは、ワイヤーＷの捲取ドラム（８）と油圧によって回転駆動する駆動体（７）とにより形成され、図１の作業図のように伐採した間伐材等をワイヤーＷを伸して結束し、駆動体（７）の捲取作用によって地曳されて把持装置Ａのアームの近くまで引き寄せる。
【００１１】
このように本考案の集材機は油圧ショベル（１）の強力なパワーを利用して伐採された木材を、ウインチのワイヤーの捲取りによって行えるため高度差のある現場での曳き上げや、危険な場所での作業においても安全が図れ、しかもクランプルとウインチＢが一体に形成されていることによって作業効率が一段と向上し、集材した木材の枝打ちや玉切等の処理もスムーズに行える。
なお、図中の符号（９）は、アタッチメントの取付けボルトを示し（４）および（５）は油圧シリンダーを示している。
【産業上の利用可能性】
【００１２】
本考案は上述のように森林作業特に間伐材等の伐採作業において、危険の伴う集材・地曳等を高能率で手ぎわよく行えるため利用価値は大きく、最近見直されてきている森林の手入れ等に貢献できる。また、本考案の作業機械は森林作業のみでなく、家屋の解体作業においても十分活用することができる。
【図面の簡単な説明】
【００１３】
【図１】作業の様子を示す実施例図
【図２】グラップルＡとウインチＢを一体とした側面図
【図３】グラップルＡとウインチＢを一体とした正面図
【符号の説明】
【００１４】
１  油圧ショベル
２  油圧ショベルのブーム
３  アーム
４  油圧シリンダー
５  油圧シリンダー
７  回転駆動装置
８  ワイヤードラム
９  取付ボルト
１０  グランプルの爪
２０  キャタピラー
【図１】
0003109442.tif 000003
【図２】
0003109442.tif 000004
【図３】
0003109442.tif 000005
(57)【要約】      （修正有）【課題】挿入治具に埋込みナットがロックされたままロック解除出来ずに埋込みナットを抜き戻したり、又長時間の振動やストレスによる母材から抜け戻ることを防止する。【解決手段】外形有効径テーパーネジ型埋め込みナットの外周に、抜け戻り防止の為の切り込み４を設ける事で、信頼性の高い抜け戻り防止機構付き外形有効径テーパーネジ型埋め込みナットが提供出来る。【選択図】図２
0003109407.tif 000002
【実用新案登録請求の範囲】
【請求項１】
外形有効径テーパーネジ型埋め込みナットの外形側面から奇数条の切り込みをねじ込み方向に向かってテーパーネジの先端部谷径迄切り込んでテーパーネジの抜け戻り防止機構とした、抜け戻り防止機構付き外形有効径テーパーネジ型埋め込みナット
【考案の詳細な説明】
【技術分野】
【０００１】  本考案は、軽合金・モールド製品等のネジ孔の強化や、修正等に使用する埋め込みナットの挿入埋め込み後抜け戻りが無い外形有効径テーパーネジ型埋め込みナットで接着剤を使用しなくても抜け戻りの無い信頼性の高い埋め込みナットが提供出来る。
【背景技術】
【０００２】  従来外径ネジ型埋め込みナットや外形有効径テーパーネジ型埋込みナットの挿入埋め込みには、ねじ込み挿入し口元をコーキング或いはネジ部の接着を行ってから埋め込み用ガイドネジを抜き取っていた。
【特許文献】  実用新案登録第昭６１−１１４５６１
【非特許文献】
【考案の開示】
【考案が解決しようとする課題】
【０００３】  外径有効径テーパーネジ型埋込みナットは、従来の外径ネジ型埋込みナットには無いテーパーネジによる圧入効果が有り、埋め込み挿入後のコーキングや接着加工は不要とされたが、挿入治具に埋め込みナットがロックされたまま解除出来ずに埋め込みナットを抜き戻すことがあった。又使用中の振動や長期のストレスによってナットの抜け戻り脱落も考えられる。
【課題を解決するための手段】
【０００４】  外形有効径テーパーネジ型埋め込みナットの外周に奇数条の切り込みをねじ込み方向にねじ山の谷径の深さ迄切り込み、ネジ山の頂上の鋭角になった部分がねじ込み時にはねじ込み抵抗にはならないが抜け出し方向には雌ねじの谷部にはネジ山切り込み先端部が刃先となって食い込む為抜け戻りが防止出来る。
【考案の効果】
【０００５】  本考案による切り込み加工に拠って外形有効径テーパーネジ型埋め込みナットはテーパーネジによる圧入効果に加えて抜け戻り防止効果に拠って接着加工無しに確実な埋め込み作業と高信頼性が保証される。
【考案を実施するための最良の形態】
【０００６】  アルミニュウム・軽合金・樹脂等の軟質母材のネジ強化加工用埋め込みナットに実施する。
【実施例１】
【０００７】  本考案の実施例を図に拠って説明すると、図１は外形有効径テーパーネジ型埋め込みナットに実施した側面及び断面図で、図２は先端から見た底面図である。ナット雌ネジ部（１）の外周上部はネジ加工不可のフランジ部（２）でその下部が外形が一定の有効径テーパーネジ部（３）で、その外周から奇数条の切り込み（４）をネジ込み方向にネジの谷径迄切り込み形成した抜け戻り防止機構付き外形有効径テーパーネジ型埋め込みナット。
【産業上の利用可能性】
【０００８】  本考案は外形有効径テーパーネジ型埋め込みナット以外のネジ型埋め込みナットやねじ込みボス等にも利用できる。
【図面の簡単な説明】
【０００９】
【図１】  実施例の側面及び断面を示す図である。
【図２】  実施例の底面図である。
【符号の説明】
【００１０】１……本体雌ネジ
２……ネジ不加工フランジ部
３……有効径テーパーネジ部
４……切り込み
【図１】
0003109407.tif 000003
【図２】
0003109407.tif 000004
(57)【要約】      （修正有）【課題】侵入者が鈍器や消音カッター等を使いガラスを破壊する犯行に至った場合、電流センサーが感知し警告ブザーが異変を周囲に知らせる。【解決手段】防犯用フィルムを製造する過程でモチアミ形状の配線をフィルム層にはさみ密着させる。モチアミの目の間隔は５ミリメートル内外とし、フィルム厚さは３００ミクロン未満のポリエステル多層構造とする。【選択図】図１
0003109406.tif 000002
【実用新案登録請求の範囲】
【請求項１】
侵入者が鈍器や消音カッター等を使いガラスを破壊する犯行に至った場合、ガラスの内側に貼られた防犯フィルムも切り裂かれてしまうので、本考案は、そんなとき、電流センサーが感知し警報ブザーが周囲に異変を知らせるという機能を備える、モチアミ形状の配線をフィルム層に埋め込んだ防犯用フィルム。
【考案の詳細な説明】
【技術分野】
【０００１】  本考案は、住戸や自動車、ショーケース等のガラスの内側に貼る防犯用フィルムに関するものである。
【背景技術】
【０００２】  住戸や自動車の窓ガラスを破り内部に侵入しょうとする不法者の撃退策として、ガラスが破れにくい強度を持つ防犯用フィルムをガラスの内側に貼る方法がとられている。【０００３】  しかし、鈍器や消音カッター等を使いガラスを破壊しようとする侵入者に対して、従来の防犯用フィルムでは対抗できない。【０００４】  つまり、フィルムさえ貼ってあれば容易にガラスは打ち破られないという概念があり、特種工具を使いガラスを破壊するという侵入者の暴挙にはお手あげだった。
【考案の開示】
【考案が解決しようとする課題】
【０００５】  本考案は、前述のような従来の防犯用フィルムの問題点を改善するものである。
【課題を解決するための手段】
【０００６】  侵入者が鈍器や消音カッター等を使いガラスを破壊する犯行に至った場合、ガラスの内側に貼られた防犯フィルムも切り裂かれてしまうので、本考案は、そんなとき、電流センサーが感知し警報ブザーが異変を周囲に知らせるという機能を備える、モチアミ形状の配線をフィルム層に埋め込んだ防犯用フィルム。
【考案の効果】
【０００７】  本考案は、侵入者が特種工具等を使いガラスを破壊する際、フィルム層に埋め込んだモチアミ形状の配線も切断される。そのとき電流の異変にセンサーが感知し警報ブザーが鳴動するという仕組みであるから、侵入者はそれ以上の不法作業がしにくくなり、侵入防止の効果がある。
【考案を実施するための最良の形態】
【０００８】  防犯用フィルムを製造する過程でモチアミ形状の配線をフィルム層にはさみ密着させる。モチアミの目の間隔は５ミリメートル内外とし、フィルム厚さは３００ミクロン未満のポリエステル多層構造とする。【０００９】  電流センサー警報器はモチアミ形状の配線部分と圧着接続しフィルム面に粘着テープ等で定着させる。
【実施例】
【００１０】  本考案は、侵入者が特種工具等を使いガラスを破壊する際、フィルム層に埋め込んだモチアミ形状の配線も切断される。そのとき電流の異変にセンサーが感知し警報ブザーが鳴動するという機能を備える。【００１１】  本考案は、従来の防犯用フィルムと同じようにどの部分でもハサミ等で切断することができる。また、本考案の防犯用フィルムを切断し使用する場合は、切断した端部をフィルムと同質の溶液材等で塗布被覆を施す。溶液材は別途用意する。【００１２】  警報ブザーが鳴動すると同時に警報器のアンテナ送信により、集中管理室の警報ブザーが鳴動するようにすれば、大規模建築物の防犯管理体制にも活用できる。【００１３】  電流センサー警報器は市販されているものを使用する。
【図面の簡単な説明】
【００１４】
【図１】  本考案の防犯用フィルムをサッシ窓のガラスに貼った内観図。図ではモチアミ形状の配線が明瞭に見えているが、実際はほとんど見えない。また、視界の障害にもならない。
【図２】  本考案の防犯用フィルムの断面図。
【符号の説明】
【００１５】  １  本考案の防犯用フィルム
２  サッシ枠
３  電流センサー警報器
４  サッシのクレセント
５  ポリエステルフィルム多層構造
６  ネット形状の配線
【図１】
0003109406.tif 000003
【図２】
0003109406.tif 000004